(57)【要約】【課題】側方にいる者にも注意を喚起できる表示装置を提供することである。【解決手段】透明板と、同透明板を支える取付パネルを備え、同取付パネルの背面側に突出する光案内筒部内に発光体を配置し、同発光体に対向する前記透明板の表面に凸部を形成し、さらに同凸部の基端面周囲に溝を設け、同凸部および同溝内に第１の光拡散手段を設けることにより、前記発光体から発光した光が前記透明板を透過した後、前記溝により周囲への広がりを抑えられて凸部内へ集光して、第１の光拡散手段を設けた凸部だけを立体的に発光させると共に、前記凸部の基端面周囲の溝により凸部の形状が浮き上がって見える効果があり、側方からの視認性を高め、注意を喚起しやすくなる表示装置となる。【選択図】  図３
2011175049.tif 000002
【特許請求の範囲】
【請求項１】
透明板と、同透明板を支える取付パネルを備え、同取付パネルの背面側に突出する光案内筒部内に発光体を配置し、同発光体に対向する前記透明板の表面に凸部を形成し、さらに同凸部の基端面周囲に溝を設け、同凸部および同溝内に第１の光拡散手段を設けることを特徴する表示装置。
【請求項２】
前記光案内筒部の光出口に当接する前記透明板の裏面に、第２の光拡散手段を設けることを特徴する請求項１に係る表示装置。
【請求項３】
前記光案内筒部の光出口に当接する前記透明板の裏面に、第２の光拡散手段を設けた凹部を形成することを特徴する請求項１に係る表示装置。
【請求項４】
前記光案内筒部の光出口は、前記凸部側から見た場合は前記凸部より小さく構成されていることを特徴とする請求項１ないし３に係る表示装置。
【請求項５】
前記透明板は、前記取付パネルに配置されたＬＣＤ表示部のカバーを兼ねていることを特徴とする請求項１ないし３に係る表示装置。
【請求項６】
請求項１ないし５に係る表示装置を備えた電子または電気機器。
【発明の詳細な説明】
【技術分野】
【０００１】
本発明は、注意を喚起する発光部を有する表示装置及びそれを備えた電子または電気機器に関するものである。
【背景技術】
【０００２】
かかる表示装置は、例えば特許文献１に示す車載型無線装置に使われる。この車載型無線装置は消防車、救急車内のダッシュボードおよび座席等に搭載して、複数の基地局や移動局と無線通信を介して指令や車両の状況などを送受信するものである。そのため車載型無線装置には各種操作ボタン、マイク接続部およびスピーカーと共に、基地局との通信状態や、通話状態、指令内容を表示できる表示装置が必要である。図７に示す従来の車載型無線装置１００では、表示装置２００の表示にドットマトリックスで表示するＬＣＤ２１０を使用していることで、表示装置２００に適時情報を表示することが可能である。
このＬＣＤ２１０には表面を透明材２２０でカバーして、本体と面一に構成されている。このため、車載型無線装置１００の正面側から情報を見る者には表示内容を確認できるが、運転席や助手席などの側方にいる者には表示内容が視界に入らないことから、基地局からの連絡を見落とすことがある。
【０００３】
側方にいる者にも注意を喚起する表示装置として、発光体にて表示する表示部を覆う凸状のカバーの側面が拡散透過性の固定壁であり、固定壁が発光するものがある（特許文献２参照）。
確かに凸状のカバーの側面を発光体で光らせて注意を喚起する方法は、側方にいる者にも有効な手段であるが、ケースに別部品からなる凸状の透過部材のカバーを組み合わせていることから、コストが係り、組立作業も発生することになる。
【０００４】
また、車載型無線装置の場合は、基地局との通信状態を確認するためにはＬＥＤ等の発光体による発光色が一瞬で判断でき、注意を喚起するのに有効であるが、指令内容や他車の状況を知るには文字や図形を表示できるＬＣＤが有効である。これら複数の表示手段がそれぞれ見やすいことが必要であり、さらに複数の表示手段を持ちながらも、コストが抑えられ、組立作業も容易なものが望ましい。
【発明の概要】
【発明が解決しようとする課題】
【０００５】
本発明は以上のような点に鑑みてなされたもので、その目的は表示装置の側方からも視認性が高く、注意を喚起しやすくなり、さらに複数の表示手段を持ちながらも、コストが抑えられ、組立作業も容易な表示装置を提供することである。
【課題を解決するための手段】
【０００６】
上記目的を達成するために、請求項１にかかる発明は、透明板と、同透明板を支える取付パネルを備え、同取付パネルの背面側に突出する光案内筒部内に発光体を配置し、同発光体に対向する前記透明板の表面に凸部を形成し、さらに同凸部の基端面周囲に溝を設け、同凸部および同溝内に第１の光拡散手段を設ける表示装置である。
【０００７】
請求項２にかかる発明は、前記光案内筒部の光出口に当接する前記透明板の裏面に、第２の光拡散手段を設ける表示装置である。
【０００８】
請求項３にかかる発明は、前記光案内筒部の光出口に当接する前記透明板の裏面に、第２の光拡散手段を設けた凹部を形成する表示装置である。
【０００９】
請求項４にかかる発明は、前記光案内筒部の光出口は、前記凸部側から見た場合は前記凸部より小さく構成されている表示装置である。
【００１０】
請求項５にかかる発明は、前記透明板は、前記取付パネルに配置されたＬＣＤ表示部のカバーを兼ねている表示装置である。
【００１１】
請求項６にかかる発明は、請求項１ないし４に係る表示装置を備えた電子または電気機器である。
【発明の効果】
【００１２】
請求項１にかかる発明によれば、透明板と、同透明板を支える取付パネルを備え、同取付パネルの背面側に突出する光案内筒部内に発光体を配置し、同発光体に対向する前記透明板の表面に凸部を形成し、さらに同凸部の基端面周囲に溝を設け、同凸部および同溝内に第１の光拡散手段を設けることにより、前記発光体から発光した光が前記透明板を透過した後、前記溝により周囲への広がりを抑えられて凸部内へ集光して、第１の光拡散手段を設けた凸部だけを立体的に発光させると共に、前記凸部の基端面周囲の溝内で光が拡散して凸部を囲むように発光することで凸部の形状が浮き上がって見える効果があり、側方からも視認性が高く、注意を喚起しやすくなる表示装置となる。
【００１３】
また、請求項２にかかる発明によれば、前記光案内筒部の光出口に当接する前記透明板の裏面に、第２の光拡散手段を設けることにより、前記発光体から発光した光は第２の光拡散手段で一度拡散して、前記透明板を透過して第１の光拡散手段を設けた凸部でさらに拡散されることになる。
【００１４】
また、請求項３にかかる発明によれば、前記光案内筒部の光出口に当接する前記透明板の裏面に、第２の光拡散手段を設けた凹部を形成することにより、前記発光体から発光した光が凹部で全周囲方向に拡散され、その光が凸部でさらに拡散されることになる。
【００１５】
また、請求項４にかかる発明によれば、前記光案内筒部の光出口は、前記凸部側から見た場合は前記凸部より小さく構成されているため、前記凸部により前記光案内筒部の光出口が隠れることで、前記光案内筒部内に配置された発光体が視界から隠れ、凸部以外に反射される光も少なく抑えられ、スッキリとした表示が得られる。
【００１６】
また、請求項５にかかる発明によれば、前記透明板は、前記筺体内に配置されたＬＣＤ表示部のカバーを兼ねていることで、ひとつの透明板で複数の表示方法を同時に兼ねることができ、表示に一体感があり、コストも抑えられる。
【００１７】
さらに、請求項６にかかる発明によれば、本発明の表示装置は電子または電気機器に広く応用されるものである。
【図面の簡単な説明】
【００１８】
【図１】は本発明を適用した車載型無線装置の部分斜視図である。
【図２】は本発明を適用した車載型無線装置の表示装置の断面図である。
【図３】は本発明の第１の実施例の表示装置の断面図である。
【図４】（ａ）〜（ｆ）は本発明の凸部の形態例を示した図である。
【図５】は本発明の第２の実施例の表示装置の断面図である。
【図６】は第２の実施例の表示装置を側方から見た場合の視野範囲を示す断面図である。
【図７】は従来例の車載型無線装置である。
【発明を実施するための形態】
【００１９】
〈第１の実施例〉
図１は本発明の第１の実施例を適用した車載型無線装置２の部分斜視図である。車載型無線装置２は取付パネル３に表示装置１の他にマイクジャック３０やスピーカー３１、多数の操作ボタン３２を備えている。同表示装置１は、取付パネル３の表面と面一になるように透明板４０を貼付し、同透明板４０の内側に発光体にＬＥＤを使用した発光表示部１１、発光表示部１２とドットマトリックスで表示するＬＣＤを使用した発光表示部１３が横並びに配置されている。
車載型無線装置２の本体はダーク系の色彩が採用されていることから、取付パネル３の表面もダーク系の色彩となり、透明板４０は発光表示部１１〜１３以外の部分はダーク系の色彩が透けて見える。
また、透明板４０の裏面に発光表示部１１〜１３以外の部分に暗色印刷を施し、暗色印刷の裏に両面テープで取付パネル３に貼付してもよく、その場合は両面テープが防水の役割を兼ね本体への水の浸入を防ぐことができる。
【００２０】
車載型無線装置２は、消防車、救急車内のダッシュボードおよび座席等に搭載して現場において複数の基地局や移動局と無線通信を介して指令や車両の状況などの送受信を行うものであり、情報を受信中である時や、情報を送信している時は発光表示部１２のＬＥＤが発光して知らせ、指令先や指令内容および受信状態は発光表示部１３のＬＣＤ上に文字や図形で表示される。
発光表示部１１のＬＥＤは、車載型無線装置２が基地局のサービスエリア圏内にあり、通話が可能である場合は緑色に発光し、圏外で通話が規制中の時は赤色に発光する。これにより、発光色を見ただけで、通話の状況を即座に判断でき、適時アクションが取れるようになる。
【００２１】
表示装置１の発光表示部１１は、図２に示すように、前記取付パネル３の表面と面一になるように前記取付パネル３が一段落ち込んだ中に前記透明板４０が貼付されている。また図３に示すように、前記取付パネル３の背面側にはＬＥＤ５０を立設した基板６０まで突出する光案内筒部３３が設けられ、同ＬＥＤ５０は前記光案内筒部３３内に配置される。同ＬＥＤ５０に対向する透明板４０の表面には台形状の凸部４１を形成し、同凸部の基端面周囲には溝４２を設ける。同凸部４１および同溝４２には第１の光拡散手段４３を設けている。同第１の光拡散手段４３はエッチングによる加工またはシボ塗装などである。また、前記光案内筒部３３の光出口３４に当接する前記透明板４０の裏面に、第２の光拡散手段４４が設けられている。同第２の光拡散手段４４はエッチングによる加工、シボ塗装、または拡散シート材を貼付してもよい。前記第２の光拡散手段４４は前記光案内筒部３３の光出口３４と同じ面積でもよいし、光出口３４よりもひとまわり大きく設けると光出口３４から発光される光を漏れなく拡散することができるのでなおよい。
【００２２】
前記凸部４１の形状は図４の（ａ）〜（ｄ）に示すような幾何学的な図形でもよいし、（ｅ）、（ｆ）に示すようにＯＮ／ＯＦＦを知らせるピクトグラム形状にしてもよいし、立体的な文字形状でもよい。これらの図形を採用することで、前記凸部４１側からの正面視での意匠性の高めることができる。
【００２３】
これにより表示装置１の発光表示部１１のＬＥＤ５０から発光された光は光案内筒部３３内を通過、反射しながら第２の光拡散手段４４で一度拡散し、透明板４０を透過して、溝４２により周囲への広がりを抑えられて表面の凸部４１内へ集光して、第１の光拡散手段４２でさらに拡散して凸部４１だけを立体的に発光させることができる。また、前記凸部の基端面周囲の溝４２内で光が拡散して凸部４１を囲むように発光することで凸部４１の形状が浮き上がって見える効果がある。
この発光表示部１１が車載型無線装置２の表面よりも突出していることで、運転席や助手席の側方にいる者にも、通話可能の緑の発光色であるか、または規制中の赤の発光色であるかを確認することができ、適時アクションが取れるようになり、側方からも視認性が高く、注意を喚起しやすくなる表示装置となる。
【００２４】
〈第２の実施例〉
図５に示すように、前記実施例１の光案内筒部３３の光出口３４に当接する透明板４０の裏面に、第２の光拡散手段４４を設けた凹部４５を形成する。同凹部４５は凸部４１に相似したひとまわり小さい形状が好ましい。これにより、ＬＥＤ５０から発光した光が凹部４５で実施例１以上に周囲へ拡散され、その光が凸部４１でさらに拡散されることで、凸部４１の側面側に光が広がることから、側方からの視認性が高まり、より注意を喚起しやすくなる表示装置となる。
【００２５】
さらに、図６に示すように、前記実施例１および前記実施例２において、凸部側から見た場合は光案内筒部３３の光出口３４は、凸部４１より小さく構成されているため、使用者Ｙからの視線は、凸部４１および溝４２により光出口３４とＬＥＤ５０が視界Ｚから隠される。一方、光出口３４から出る光が溝４２により周囲への広がりを少なく抑えられ、凸部だけが立体的に発光して見えるスッキリとした表示が得られる。
【００２６】
また、図２に示したように、表示装置１にはＬＥＤを使用した発光表示部１１、１２とドットマトリックスで表示するＬＣＤを使用した発光表示部１３が横並びに配置されており、透明板４０は、これら表示部のカバーを兼ねていることで、形態の異なる発光表示部に一体感が生まれ、一枚の透明板４０を貼付するだけで組み立てられることで作業が容易となり、コストが抑えられる。また、車載無線装置２がダーク系の色彩であることから、非表示時には発光表示部１１、１２の光出口３４は暗くなり表面からは見えず、点灯時だけ発光色が視認できることで、必要な表示内容だけを得ることができ、これら種類の異なる発光表示を使い分けることで、視認性が高まる。
また、透明板４０の裏面に発光表示部１１〜１３以外の部分に暗色印刷を施し、暗色印刷の裏に両面テープで取付パネル３に貼付してもよく、その場合は両面テープが防水の役割を兼ね本体への水の浸入を防ぐことができる。
【００２７】
なお、実施例において、本発明の表示装置を備えた機器として、車載型無線装置を例に説明したが、それに限るものではなく、エアコン、テレビ、情報機器等の表示装置を備えた電子または電気機器に広く応用が可能である。
【符号の説明】
【００２８】
１    表示装置
１１  発光表示部
１２  発光表示部
１３  発光表示部
２    車載型無線装置
３    取付パネル
３３  光案内筒部
３４  光案内筒部の光出口
４０  透明板
４１  凸部
４２  溝
４３  第１の光拡散手段
４４  第２の光拡散手段
４５  凹部
５０  ＬＥＤ
６０  基板
【先行技術文献】
【特許文献】
【００２９】
【特許文献１】登録意匠第１０２２１７７の類似１号公報
【特許文献２】特開平１−２６０４８５号公報
【図１】
2011175049.tif 000003
【図２】
2011175049.tif 000004
【図３】
2011175049.tif 000005
【図４】
2011175049.tif 000006
【図５】
2011175049.tif 000007
【図６】
2011175049.tif 000008
【図７】
2011175049.tif 000009